(57)【要約】      （修正有）【課題】下水道管内の清掃に関し、従来は煙突掃除の用具に似せてボロ布を丸め、両側に長いロープを連結し、ボロ布が管の内面を往復運動を行いながら順次先方に移動し、管内壁の掃除を行っている。しかし、一単位が約１００ｍと長い管内を、数１０ｃｍ程度の往復運動を繰返しつつ、前進させる作業は機械化できず、入力に頼るしか無かった。【解決の手段】前端部にホース継手の結合部８を具備する金属管６を中心部に突出させた前円盤Ａと、後面の中心付近にロープ連結環９を突出させた後円盤Ｂを一体状に締着する。金属管６を通して圧送される流体は円盤間の通路部２ａ、２ｂ、内を流れて、円盤Ａ、Ｂの外周部に開口するスリット１２又は、多数の小孔より斜前方に噴出可能と成し、筒体Ｄ、Ｅの外側端付近には、夫々３個以上の車輪５、５、…を設けた下水道の清掃装置とする。【選択図】  図１
2004225498.tif 000002
【特許請求の範囲】
【請求項１】
前端部にホース継手の結合部を具備する金属管を中心部に突出させた前円盤と、後面の中心付近にロープ連結環を突出させた後円盤を設け、この前後の円盤の突起物の無い面同士を対向させて一体状に締着するが、金属管を通して圧送される流体は円盤間内を流れて、円盤の外周部に開口するスリット又は、多数の小孔より斜前方に噴出可能と成し、また円盤の夫々の側面には円筒状の筒体の内端側を嵌着し、この夫々の筒体の外端付近には、周を等分割状に成して、夫々３個以上の車輪を設けたことを特徴とする下水道管の清掃装置。
【請求項２】
円を等分割するように配設した夫々の車輪は筒体の法線方向に向けて接地するように成すと共に、円盤と同一中心で円盤の直径より大きい仮想円に夫々の車輪の外径の外端部が接するように、車輪支持金具を介して筒体に止着したことを特徴とする請求項１記載の下水道管の清掃装置。
【発明の詳細な説明】
【０００１】
【発明の属する技術分野】
本発明は主として公共施設の下水道に関わる課題を対象として開発したもので、工事中に発生する、下水道管内に付着する汚れの除去作業とか、又は異物の除去を行うために、工事完了間際に行う下水道管の清掃装置に関するものである。
【０００２】
【従来の技術】
下水道の上流に相当する枝管は内径１５ｃｍ程度の小径の塩化ビニル製のパイプを主体とし、途中に管継手やＴ字管継手等を介して嵌入し、接着しながら延長しているものであるが、こうした工事は側溝の造成と類似した施行であって、始めに土を堀あげて深い溝を造成しなければならない。水位の高い土地では地下水が湧き出るために、ポンプで排水しながら下水道管を敷設している。
【０００３】
下水道管は通常０．５度ていどの勾配を付与しながら長々と連結し、受益者密度に応じて、下流にいくに従い次第に太い径のパイプを施設するように計画されている。管の敷設工事の期間中、ポンプを停止すること無く連続駆動しておれば、泥水がパイプに流れ込む可能性が少ないが、夜間の仕事の休止中には水位が上昇して、泥水がパイプに流れ込み、パイプ内を汚染してしまうものである。
【０００４】
塩化ビニル製の管は金属管に較べて柔らかく、傷が付き易いから、内面の汚れを拭き取ったり、付着物を剥ぎ落とす場合も、規定の道具類は無く、煙突掃除の用具を見習ったように、ボロ布を束にして丸め、この両側に長いロープを連結して、ボロ布の束が管の内面を擦りながら、往復運動を行うことによって、管内面の付着物を剥がしたり、拭き取るような動作を繰り返しながら、ボロ布の位置を順次先方に移動させては、管内壁に付着する異物を除去しているものである。
【０００５】
【発明が解決しょうとする課題】
塩化ビニル管は規格化された製品であるから、夫々の内径寸法に見合う円盤状の清掃用バフが市販されても良い筈であるが、その存在は寡聞にして聞いたことが無い、従って管内の清掃作業を行う度ごとにボロ布を集め、管の太さに見合う束を作り、作業を行っている現状であるが、作業中にボロ布が寸断して、管内に残留する恐れの無いように、ボロ束を作ることは以外に手間どる仕事である。
【０００６】
十数ｍ程度の長さならいざ知らず、一区画が凡そ百ｍ位の長い区間を、数十ｃｍの往復運動を繰り返しながら、僅かづつ前進させるように拭き取っていく作業は、百パーセント人力に頼るしか、今のところ適当な方法が見当たらない、前後２人の計４人の作業員を要し、しかも厳しい力仕事の作業内容である。こうした原始的な作業から開放されてしかるべき、省人化される機械が要望されている。
【０００７】
しかしながら設備の稼働頻度が少なく、しかも幹管より岐路に入っている、枝管部に相当する下水道管の埋設工事は、大きな工務店より下請けの、小規模の管工事会社が行っているのが普通であるから、例え高能率で省力化された便利な装置が開発されたとしても、稼働する作業日数とか、その工事費に見合うような安価な設備投資で済むものでなければ、到底要望を満たすことはできない。
【０００８】
【課題を解決するための手段】
前端部にホース継手の結合部を具備する金属管を中心部に突出させた前円盤と、後面の中心付近にロープ連結環を突出させた後円盤を設け、この前後の円盤の突出物の無い面同士を対向させて一体状に締着するが、金属管を通して圧送されて来る流体は、円盤間内を流れて、円盤の外周部に開口するスリット又は、多数の小孔より斜前方に噴出可能と成すものであり。
【０００９】
また円盤の夫々の側面には円筒状の筒体の内端側を嵌着し、この夫々の筒体の外端付近には筒体の周を等分割状に成して、夫々３個以上の車輪を設け、この車輪は筒体の法線方向に向けて接地するように成すと共に、円盤と同一中心で円盤の直径より大きい仮想円に、夫々の車輪の外径の外端部分が同時に接するように車輪支持金具を介して、車輪を筒体に止着するように成したものである。
【００１０】
以上のように構成した下水道管の清掃装置は、円盤の外周部の噴口より圧縮空気、水等を噴出し、これを下水道管の内壁に衝突させて、管内の洗浄を行うものであるから、円盤の外周を下水管の内壁に極力接近させて、円盤の外周円と下水道管が常に同心円と成るようにして、清掃装置を移動させることが望ましいが、それには多種類の機種を必要となる故、本願装置では流体を高速度で噴出するように加圧することによって、噴射距離に多少の違いがあっても問題は無い。
【００１１】
しかしながら前述したように、下水道に用いるビニル管は、最小内径約１５ｃｍから、受益者戸数の密度に応じて、段階的に次第に太い径のものを接続している、従って本出願の清掃装置は、数多くある異なる径のものにも、容易に適応し得る必要上、小型に且つ簡易な構成と成すことにより安価に提供できるから、３種類程度のサイズ別の機種を揃えておけば、使用範囲の総べての塩化ビニル管の太さに適応できるから、本装置に関わる設備投資の費用もさほど問題にならない。
【００１２】
清掃作業を行う場合は、下水道管の上流端側の巻取機より、あらかじめ牽引ロープを下水道管へ挿通して下流側へ引き出しておき、このロープ端を後円盤に設けた連結環に結束すると共に、前円盤に設けた金属管先端の結合部に、カプラ継手を連結することによって清掃装置に流体供給用のホースが接続される。前記巻取機を駆動してロープを巻取れば、清掃装置は下水道管内をバックして、管内に供給ホースを伸設しながら清掃装置は上流の管端に現れ、清掃の作業準備が整う。
【００１３】
【発明の実施の形態】
本発明の一実施例を示す図面を参照して説明する、図１は本発明に係わる装置を具備する下水道管の清掃装置の側断面図、図２は車輪の取り付け状態を明示する拡大正断面図、図３は車輪の取り付け状態の拡大側面図、図４は図１の正断面図、図５は図１の後断面図、図６は本装置の使用時における完備状態の側断面図である。図７は図６の正断面図である。
【００１４】
前方の筒体Ｄと後方の筒体Ｅとの間に介在する円盤Ａ、Ｂの直径は、この円盤Ａ、Ｂに嵌着する前記筒体Ｄ、Ｅの外径より大きく成し、前円盤Ａと後円盤Ｂとは、中心を一致させて一体状に締着させたものである。夫々の円盤Ａ、Ｂの外側方は短円柱状に突出させたボス１、２と成し、このボス１、２の周面１ａ、１ｂの直径を筒体Ｄ、Ｅの内径と一致させてあり、前円盤Ａのボス１の周面１ａには前方の筒体Ｄを嵌入し、後円盤Ｂのボス２の周面１ｂには後方の筒体Ｅを嵌入し、夫々の嵌合部にビスを挿入して、ボス１、２の周面１ａ、１ｂに螺着する。
【００１５】
また筒体Ｄ、Ｅの夫々の外端付近には円周を１２０′ずつ等分割して３個の削切孔を設ける。即ち、前方の筒体Ｄの削切孔１ｄ、１ｄ、１ｄと後方の筒体Ｅの削切孔１ｅ、１ｅ、１ｅを夫々設け、この夫々の削切孔１ｄ…と１ｅ…内に、夫々支持金具３、３に挟持させて軸着している車輪５を嵌入し、支持金具３、３の夫々の脚４、４を筒体Ｄ、Ｅにボルトにて螺着する。また筒体Ｄ、Ｅに３個ずつ設けた夫々の車輪５、５、５の外方端は図４に示すように、二点鎖線の仮想円Ｊに接しており、この仮想円Ｊは、清掃装置の挿入可能な下水道管Ｇの最小内径に該当するものである。
【００１６】
図１図６に示すように、前円盤Ａのボス１には、ボス１の中心軸と一致させて金属管６を固着し、この金属管６の中心孔７は前円盤Ａの内面に連通するように成し、金属管６の外端にはホース継手の結合部９を螺設する。後円盤Ｂのボス２の中心付近にはロープ連結環１１を固着し、また前円盤Ａと後円盤Ｂの対向する内面側には、流体の通路部２ａ、２ｂと成して、外周近く迄の間を凹没させている。
【００１７】
前円盤Ａと後円盤Ｂが接合する外周付近に、いずれかの円盤に放射状に多数の細溝を刻設するか、細孔を穿設して噴出口と成すものもある。また図１の如く前円盤Ａと後円盤Ｂ内の流体の通路部２ａ、２ｂ間に、密着時より僅か幅の厚い寸法のスペーサー１０、１０、…を介在させて、両円盤Ａ、Ｂを締着することによって、外周付近の対向面間に、薄環形状スリット１２の噴出口を構成するものもある。
【００１８】
【実施例】
図６は本願装置の清掃作業を行う準備の整った状態の図面である。同一径の塩化ビニル管Ｇを多数本連結して、１００ｍ程度の長さと成したものを、清掃の一区画とし、この長大な管Ｇに接続する過程において、あらかじめ上流の管Ｇを起点として、牽引用ロープＦを挿通しておき、下流の終端側に導出したロープＦの端を、清掃装置に設けた連結環１１に縛着し、ロープＦを巻取って清掃装置を上流の管Ｇの入口迄引き出せば、流体供給用ホースＨは下水道管Ｇ内に敷き渡される。
【００１９】
前円盤Ａの金属管６の前端部に設けた結合部９には、流体供給用ホースＨの先端部のカプラ継手Ｋを接続し、ホースＨの末端部は下水道管Ｇの下流に配設したホースリール（図示しない）に巻いてあり、ホースＨの後端はホースリールの軸芯筒に嵌着し、この軸芯筒を経由してコンプレッサ（図示しない）からの圧縮空気、又はポンプ（図示しない）よりの圧力水が供給し得るように、回転継手を介してコンプレッサ等が接続されているから、ホースＨは自由に引き出しできる。
【００２０】
コンプレッサを駆動し、ホースＨに圧縮空気を送り込みながら、ホースリールを回転させてホースＨを巻取れば、清掃装置は下水道管内Ｇを進行しながら、円盤Ａ、Ｂ外周面に開口する噴出口から圧縮空気を噴出して、下水道管Ｇの内面に吹き付け、汚れを除去しながら次第に管Ｇの奥深くへ進んで行くが、圧縮空気の噴出方向が進行方向で、且つ斜め上向きに噴出するように、小口３ａ、３ａ、…又はスリット１２の噴出方向を形設したことによって、汚染物を前に送り出しながら、清掃作業を行うので、最終的には汚染物を下水道管Ｇの外に流出させるようになる。
【００２１】
【発明の効果】
以上、詳細に説明したところから明らかなように、本発明の下水道管の清掃装置は、太径の塩化ビニル管を、長大に接続して成る下水道管内に、管を継ぎ足す工程中に、あらかじめ牽引ロープを挿通しておき、このロープを本願装置に連結して、清掃装置をパイプの上流地点に引出し、この清掃装置のロープと反対側に連結した流体供給ホースに、高圧流体を送り込みながら、ホースを緩やかにホースリールに巻取ることによって、清掃装置は下水道管内を進行しながら、斜外前方に放射状に噴き出す高圧流体を、管内壁面に強烈に吹き付けることによって、管内清掃を行うように成したものである。従って、従来のように人海戦術を駆使した極めて非能率な作業に較べて、一人のオペレータだけで、而も短時間で作業を完了する効果を有するばかりか、本装置を駆動するための、ホースリール及びコンプレッサ等は当業者であれば、必要設備品として常備しているものを活用できるうえに、本装置は小型で簡易な構成と成したことより極めて安価に提供できる等、本発明によれば既述した従来の問題点は良好に解決できる。
【図面の簡単な説明】
【図１】本発明に係わる装置を具備する下水道管の清掃装置の側断面図である。
【図２】車輪の取り付け状態を明示する拡大正断面図である。
【図３】車輪の取り付け状態の拡大側面図である。
【図４】図１の正断面図である。
【図５】図１の後断面図である。
【図６】本装置の使用時における完備状態の側断面図である。
【図７】本装置の使用時を説明するための正断面図である。
【符号の説明】
Ａ…前円盤。  １ａ…前円盤ボスの周面。  ２ａ…前円盤の流体の通路部。
Ｂ…後円盤。  １ｂ…後円盤ボスの周面。  ２ｂ…後円盤の流体の通路部。
Ｄ…前方の筒体。  １ｄ…前方の筒体削切孔。
Ｅ…後方の筒体。  １ｅ…後方の筒体削切孔。
Ｆ…牽引用のロープ。
Ｇ…下水道管。
Ｈ…流体供給用のホース。
Ｊ…仮想円
Ｋ…カプラ継手。
１…前円盤Ａのボス。
２…後円盤Ｂのボス。
３…車輪支持金具。
４…支持金具３の脚。
５…車輪。
６…金属管。
７…金属管６の中心孔。。
８…金属管６のカプラ継手との結合部。
９…ロープ連結環。
１０…スペーサー。
１２…スリット。
【図１】
2004225498.tif 000003
【図２】
2004225498.tif 000004
【図３】
2004225498.tif 000005
【図４】
2004225498.tif 000006
【図５】
2004225498.tif 000007
【図６】
2004225498.tif 000008
【図７】
2004225498.tif 000009